(57)【要約】【課題】本発明の目的は、コンピュータシステム用インターフェイスＢＩＯＳのバックアップ方法を提供することにある。【解決手段】本発明のインターフェイスＢＩＯＳのバックアップ方法は、インターフェイスのＢＩＯＳが壊れた場合、コンピュータに保存されたバックアップＢＩＯＳがインターフェイスに送られ、通常の作動状況を維持する。【選択図】    図１
2004302991.tif 000002
【特許請求の範囲】
【請求項１】
コンピュータシステムのオペレーティングシステム（ＯＳ）中のインターフェイスＢＩＯＳをバックアップするプログラムを実行し、
インターフェイスのＢＩＯＳを検知し、
インターフェイスＢＩＯＳを読み取って表示し、
コンピュータＢＩＯＳ中の記憶スペースを検査してコンピュータＢＩＯＳ中にインターフェイスＢＩＯＳのバックアップコピーを作成し、
コンピュータＢＩＯＳを実行し、
インターフェイスのＢＩＯＳを検査し、
インターフェイスＢＩＯＳにエラーが発生した場合、コンピュータＢＩＯＳ中のバックアップインターフェイスＢＩＯＳを実行するための、
コンピュータシステム用インターフェイスＢＩＯＳのバックアップ方法。
【請求項２】
請求項１に記載のコンピュータシステム用インターフェイスＢＩＯＳのバックアップ方法において、インターフェイスＢＩＯＳにエラーが発生した場合、保存用としてバックアップインターフェイスＢＩＯＳを応答するインターフェイスに送る工程を含むことを特徴とする、コンピュータシステム用インターフェイスＢＩＯＳのバックアップ方法。
【請求項３】
請求項１に記載のコンピュータシステム用インターフェイスＢＩＯＳのバックアップ方法において、コンピュータシステムＢＩＯＳが、マザーボード（Ｍ／Ｂ）の基礎ＢＩＯＳであることを特徴とする、コンピュータシステム用インターフェイスＢＩＯＳのバックアップ方法。
【請求項４】
請求項１に記載のコンピュータシステム用インターフェイスＢＩＯＳのバックアップ方法において、コンピュータＢＩＯＳ中の記憶スペースを検査する工程において、コンピュータシステムＢＩＯＳ中の記憶スペースが不十分であると判断した場合に、コンピュータシステムＢＩＯＳプログラムを表示し、コンピュータシステムＢＩＯＳ中の記憶スペースを広げるための削除機能を備えることを特徴とする、コンピュータシステム用インターフェイスＢＩＯＳのバックアップ方法。
【請求項５】
請求項１に記載のコンピュータシステム用インターフェイスＢＩＯＳのバックアップ方法において、インターフェイスＢＩＯＳにエラーがない場合、インターフェイスがそのＢＩＯＳを実行することを特徴とする、コンピュータシステム用インターフェイスＢＩＯＳのバックアップ方法。
【請求項６】
コンピュータシステムＢＩＯＳのインターフェイスＢＩＯＳをバックアップするプログラムを実行し、
インターフェイスのＢＩＯＳを検知し、
インターフェイスＢＩＯＳを読み取って表示し、
コンピュータＢＩＯＳ中の記憶スペースを検査してコンピュータＢＩＯＳ中にインターフェイスＢＩＯＳのバックアップコピーを作成し、
コンピュータＢＩＯＳを実行し、
インターフェイスのＢＩＯＳを検査し、
インターフェイスＢＩＯＳにエラーが発生した場合、コンピュータＢＩＯＳ中のバックアップインターフェイスＢＩＯＳを実行するための、
コンピュータシステム用インターフェイスＢＩＯＳのバックアップ方法。
【請求項７】
請求項６に記載のコンピュータシステム用インターフェイスＢＩＯＳのバックアップ方法において、インターフェイスＢＩＯＳにエラーが発生した場合、保存用としてバックアップインターフェイスＢＩＯＳを応答するインターフェイスに送る工程を含むことを特徴とする、コンピュータシステム用インターフェイスＢＩＯＳのバックアップ方法。
【請求項８】
請求項６に記載のコンピュータシステム用インターフェイスＢＩＯＳのバックアップ方法において、コンピュータシステムＢＩＯＳが、マザーボード（Ｍ／Ｂ）の基礎ＢＩＯＳであることを特徴とする、コンピュータシステム用インターフェイスＢＩＯＳのバックアップ方法。
【請求項９】
請求項６に記載のコンピュータシステム用インターフェイスＢＩＯＳのバックアップ方法において、コンピュータＢＩＯＳ中の記憶スペースを検査する工程において、コンピュータシステムＢＩＯＳ中の記憶スペースが不十分であると判断した場合に、コンピュータシステムＢＩＯＳプログラムを表示し、コンピュータシステムＢＩＯＳ中の記憶スペースを広げる目的で、不必要と判断したものを削除する機能を提供することを特徴とする、コンピュータシステム用インターフェイスＢＩＯＳのバックアップ方法。
【請求項１０】
請求項６に記載のコンピュータシステム用インターフェイスＢＩＯＳのバックアップ方法において、インターフェイスＢＩＯＳにエラーがない場合、インターフェイスがそのＢＩＯＳを実行することを特徴とする、コンピュータシステム用インターフェイスＢＩＯＳのバックアップ方法。
【請求項１１】
コンピュータシステム中のインターフェイスＢＩＯＳをバックアップするプログラムを実行し、
インターフェイスのＢＩＯＳを検知し、
インターフェイスＢＩＯＳを読み取って表示し、
外部記憶装置を検査してインターフェイスＢＩＯＳのバックアップコピーを前記外部記録装置に保存し、
コンピュータＢＩＯＳを実行し、
インターフェイスのＢＩＯＳを検査し、
インターフェイスＢＩＯＳにエラーが発生した場合、外部記憶装置中のバックアップインターフェイスＢＩＯＳを実行するための、
コンピュータシステム用インターフェイスＢＩＯＳのバックアップ方法。
【請求項１２】
請求項１１に記載のコンピュータシステム用インターフェイスＢＩＯＳのバックアップ方法において、外部記録装置がフラッシュメモリであることを特徴とする、コンピュータシステム用インターフェイスＢＩＯＳのバックアップ方法。
【請求項１３】
請求項１１に記載のコンピュータシステム用インターフェイスＢＩＯＳのバックアップ方法において、外部記憶装置の記憶スペースが不十分であると判断された場合に、コンピュータシステムＢＩＯＳプログラムを表示し、外部記憶装置中の記憶スペースを広げるための削除機能を備えることを特徴とする、コンピュータシステム用インターフェイスＢＩＯＳのバックアップ方法。
【請求項１４】
請求項１１に記載のコンピュータシステム用インターフェイスＢＩＯＳのバックアップ方法において、インターフェイスＢＩＯＳにエラーがない場合、インターフェイスがそのＢＩＯＳを実行することを特徴とする、コンピュータシステム用インターフェイスＢＩＯＳのバックアップ方法。
【請求項１５】
請求項１１に記載のコンピュータシステム用インターフェイスＢＩＯＳのバックアップ方法において、インターフェイスＢＩＯＳにエラーが発生した場合、保存用としてバックアップインターフェイスＢＩＯＳを応答するインターフェイスに送る工程を含むことを特徴とする、コンピュータシステム用インターフェイスＢＩＯＳのバックアップ方法。
【発明の詳細な説明】
【０００１】
【発明の属する技術分野】
本発明はＢＩＯＳのバックアップに関するもので、より具体的にはインターフェイスのＢＩＯＳをバックアップする方法に関するものである。
【０００２】
【従来技術】
今日、コンピュータシステムは、ごく頻繁に使用されるに至り、ビジネスはもちろん一般家庭においても利用されるようになった。コンピュータシステムにおける重要な構成要素としては、基本入出力システム、つまりＢＩＯＳ（Ｂａｓｉｃ  Ｉｎｐｕｔ／Ｏｕｔｐｕｔ  Ｓｙｓｔｅｍ）が挙げられる。
ＢＩＯＳは、読み出し専用メモリ、つまりロムにインストールされ、入力・出力、つまりＩ／Ｏに関連する多くの基礎サブルーチンを含むものである。ＢＩＯＳは、コンピュータハードウエアとある種の関連性を持った、マザーボード、つまりＭ／Ｂ用のファームウエアである。Ｍ／Ｂ上のＢＩＯＳを任意に変更することは、コンピュータシステムの故障の原因となることもある。
【０００３】
ＢＩＯＳの主な機能は、中央処理装置（ＣＰＵ）や様々なチップの作動、プリンタや、マウスや、キーボードや、ハードディスクドライブ（ＨＤＤ）や、フロッピー（Ｒ）ディスクドライブ（ＦＤＤ）といった一般的な全周辺機器のプロセスをコントロールするものである。ＢＩＯＳが、コンピュータシステムを始動すると、まずハードディスクドライブやフロッピー（Ｒ）ディスクドライブからオペレーションシステム（ＯＳ）をランダムアクセスメモリ（ＲＡＭ）にロードする前に、全インターフェイスが正常に機能していると仮定する。
【０００４】
一旦ＢＩＯＳがインストールされると、ＯＳおよびアプリケーションプログラムがＩ／Ｏディバイスに関する詳細な情報（例えばハードウエアアドレス）を特定する必要性がなくなる。前記情報が変更された場合にはＢＩＯＳさえ変更すればよく、ＯＳや夫々のアプリケーションを変更する必要はない。ここでは前記ＢＩＯＳが非常に大きな役割を果たすこととなる。
しかしながら、コンピュータシステム中のカレントインターフェイスは、独自のＢＩＯＳとともにインストールされる。そのＢＩＯＳに起こる全てのエラーは、インターフェイスやコンピュータシステム全体ですら、それらの通常の機能に影響を及ぼす可能性がある。したがって、通常のコンピュータ作動に影響を及ぼすようなエラーをインターフェイスＢＩＯＳに起こすようなことを避ける方法の需要がある。
【０００５】
【発明の目的】
前述のことから、本発明はインターフェイスＢＩＯＳのためのバックアップ方法を提供するものである。本発明の目的は、インターフェイスＢＩＯＳにダメージを引き起こす結果となるような悪影響を及ぼす要因を回避することにある。インターフェイスＢＩＯＳが本発明にしたがってバックアップされる。インターフェイスＢＩＯＳのいずれかがダメージを受けた場合、コンピュータシステムがインターフェイスＢＩＯＳのバックアップコピーを対応するインターフェイスに送り込み、インターフェイスおよびコンピュータシステムの通常作動を維持するものである。
【０００６】
【本発明の実施の形態】
本発明は、以下に示した詳細な説明から充分に理解できるようになるが、以下に示した詳細な説明は単に実例であって本発明を限定するものではない。
【０００７】
図１を参照しながら説明する。図１はコンピュータシステムの概略図である。本発明によれば、コンピュータ１０に組み込まれたインターフェイスのＢＩＯＳは、記憶スペース１１内にバックアップされる。そのインターフェイスとは、ビデオグラフィックスアレイ（ＶＧＡ）インターフェイス１２、ローカルエリアネットワーク（ＬＡＮ）インターフェイス１３、スモールコンピュータシステムインターフェイス（ＳＣＳＩ）インターフェイス１４、ハードディスクドライブ（ＨＤＤ）１５、コンパクトディスク読み込み専用メモリ（ＣＤ−ＲＯＭ）１６、リダンダントアレーオブインエクスペンシブディスク（ＲＡＩＤ）インターフェイス１７等を含むものである。記憶スペース１１は、マザーボード（Ｍ／Ｂ）または外部フラッシュメモリのＢＩＯＳともなり得る。
いずれかのインターフェイスのＢＩＯＳが壊れた場合、まず記憶スペース１１に保存されたバックアップインターフェイスＢＩＯＳが実行され、コンピュータシステム１０の通常の作動機能を維持する。そして、バックアップインターフェイスＢＩＯＳは応答するインターフェイスに送られ保存される。
【０００８】
ここに開示されたインターフェイスＢＩＯＳのバックアップ方法は、バックアップ部と回復部とを有している。図２に本発明のバックアップステップが詳細に説明されている。
【０００９】
まず、コンピュータシステムが、インターフェイスＢＩＯＳのバックアップ作業を実行する。このステップはオペレーティングシステム（ＯＳ）（ステップ２１０）またはコンピュータシステムＢＩＯＳ（ステップ２２０）にて実行可能である。
コンピュータシステムが、各々のインターフェイスのＢＩＯＳを検知し（ステップ２３０）、応答するＢＩＯＳを読み込んで表示をする（ステップ２４０）。
ユーザが各々のインターフェイスＢＩＯＳのバックアップコピーを作成するか否かを選択する（ステップ２５０）。
一度ユーザが選択を下すと、コンピュータシステムは、記憶スペースに充分なスペースがあるかどうかを判断する（ステップ２６０）。
もし記憶スペースに充分なスペースが存在する場合、バックアップ対象のＢＩＯＳがそこに保存される（ステップ２９０）。
しかし、もし記憶スペースに充分なスペースが存在しない場合、現時点で記憶スペースに保存されているＢＩＯＳがユーザに表示される（ステップ２７０）。
そして、ユーザがいずれかの保存されているものを削除するか否かを選択し、コンピュータシステムは、ユーザが削除すると決定したものを取り除く（ステップ２８０）。その削除工程が完了した後に、バックアップ対象のＢＩＯＳが保存される。
【００１０】
以下に、図３を参照しながら本発明のインターフェイスＢＩＯＳの回復工程について説明する。一度前述のバックアップステップが完了すれば、コンピュータシステムが通常の作動を開始する。まず、記憶スペースに保存されたインターフェイスＢＩＯＳを実行する（ステップ３１０）。
そして、そのインターフェイスＢＩＯＳにエラーが存在するかどうかの判断をする（ステップ３２０）。
もし、全インターフェイスＢＩＯＳが正常であれば、全てのインターフェイスがコンピュータシステムに利用される（ステップ３３０）。
しかし、インターフェイスＢＩＯＳのどこかにエラーがあった場合、通常作動するインターフェイス用に記憶スペースに保存されたバックアップＢＩＯＳが実行される（ステップ３４０）。
それで、バックアップＢＩＯＳは、インターフェイスに送られ保存される（ステップ３５０）。
【００１１】
上述のように、ここに開示されたインターフェイスＢＩＯＳのバックアップ方法は、コンピュータシステム中の各インターフェイスのＢＩＯＳをバックアップする。
一つの利点としては、いずれかのインターフェイスＢＩＯＳが壊れた場合にコンピュータシステムがバックアップコピーを使用して作業を続けることが可能である点が挙げられる。したがって、ＢＩＯＳの問題は、コンピュータの通常の作動には何ら影響がなく、コンピュータの効率性が良くなるという利点がある。本発明のその他の利点としては、バックアップＢＩＯＳが応答するインターフェイスに送られて保存されることである。このことにより、再インストールをせずに応答するインターフェイス上のインターフェイスＢＩＯＳを回復することができる。
【００１２】
当業者にとって、本発明に関してある程度の変更が可能であることは明白であり、それらの変更が請求の範囲に記載された各発明の精神および範囲内にあることは明白である。
【図面の簡単な説明】
【図１】本発明に係るＢＩＯＳのバックアップ方法を採用したコンピュータシステムの概略図。
【図２】本発明に係るＢＩＯＳのバックアップ方法におけるバックアップのフローチャート。
【図３】本発明に係るＢＩＯＳのバックアップ方法を利用したインターフェイスＢＩＯＳの回復過程のフローチャート。
【図１】
2004302991.tif 000003
【図２】
2004302991.tif 000004
【図３】
2004302991.tif 000005
【外国語明細書】
2004302991.tif 000006
2004302991.tif 000007
2004302991.tif 000008
2004302991.tif 000009
2004302991.tif 000010
2004302991.tif 000011
2004302991.tif 000012
2004302991.tif 000013
2004302991.tif 000014
2004302991.tif 000015
2004302991.tif 000016
2004302991.tif 000017